(57)【要約】【課題】一系統のシリアルバス上に他の複数の情報処理装置が接続されている場合でも、必要な一の情報処理装置を迅速且つ簡易に選択して他の情報処理装置からの情報を入力させることが可能な情報処理装置等を提供する。【解決手段】他のノードと共に一系統のシリアルバスＢに接続されると共に、複数の入力端子から夫々入力されて来る入力情報を選択的に入力させるためのホストマイコン１２を備えるレシーバＲにおいて、シリアルバスＢを介して接続される他のノードを特定するための特定情報を取得し、取得した特定情報に基づいて、複数の入力端子のいずれか一つに代えて一の他のノードをホストマイコン１２における選択肢として設定するメインマイコン１３と、を備える。【選択図】　　　図１
2004120018.tif 000002
【特許請求の範囲】
【請求項１】
他の情報処理装置と共に一系統のバスに接続される情報処理装置であって、複数の入力元から夫々入力されて来る入力情報を選択的に入力させるための選択手段を備える情報処理装置において、
前記バスを介して接続される前記他の情報処理装置を特定するための特定情報を取得する取得手段と、
前記取得した特定情報に基づいて、複数の前記入力元のいずれか一つに代えて一の前記他の情報処理装置を前記選択手段における選択肢として設定する設定手段と、
を備えることを特徴とする情報処理装置。
【請求項２】
請求項１に記載の情報処理装置において、
一の前記選択肢として設定された一の前記他の情報処理装置が実際に前記入力元として選択されているとき、当該選択されている一の前記他の情報処理装置に対応する前記特定情報を告知する第１告知手段と、
前記第１告知手段による告知と並行して、現在選択されている一の前記他の情報処理装置に置き換えられている一の前記入力元を告知する第２告知手段と、
を更に備えることを特徴とする情報処理装置。
【請求項３】
請求項１又は２に記載の情報処理装置において、
前記選択肢として設定されていない前記他の情報処理装置からの情報を前記バスを介して入力させるとき、当該情報を入力させる前記他の情報処理装置に対応する前記特定情報のみを告知する告知手段を更に備えることを特徴とする情報処理装置。
【請求項４】
請求項１から３のいずれか一項に記載の情報処理装置において、
前記設定手段は、
一の前記他の情報処理装置を一の前記選択肢として設定するに当たり、複数の前記他の情報処理装置のうち当該選択肢として選択可能とされる条件を備える前記他の情報処理装置のみを前記取得した特定情報に基づいて抽出する抽出手段と、
前記抽出された他の情報処理装置のみを表示する表示手段と、
を備えることを特徴とする情報処理装置。
【請求項５】
請求項１から４のいずれか一項に記載の情報処理装置において、
前記取得された特定情報を記憶する記憶手段を更に備えることを特徴とする情報処理装置。
【請求項６】
請求項１から５のいずれか一項に記載の情報処理装置において、
前記バスはＩＥＥＥ（Ｉｎｓｔｉｔｕｔｅ　　ｏｆ　　Ｅｌｅｃｔｒｉｃａｌ　　ａｎｄ　Ｅｌｅｃｔｒｏｎｉｃ　Ｅｎｇｉｎｅｅｒｓ）１３９４規格に則ったシリアルバスであることを特徴とする情報処理装置。
【請求項７】
他の情報処理装置と共に一系統のバスに接続される情報処理装置において実行される情報処理方法であって、複数の入力元から当該情報処理装置に夫々入力されて来る入力情報を選択的に入力させるための選択工程を備える情報処理方法において、
前記バスを介して接続される前記他の情報処理装置を特定するための特定情報を取得する取得工程と、
前記取得した特定情報に基づいて、複数の前記入力元のいずれか一つに代えて一の前記他の情報処理装置を前記選択工程における選択肢として設定する設定工程と、
を備えることを特徴とする情報処理方法。
【請求項８】
他の情報処理装置と共に一系統のバスに接続される情報処理装置であって、複数の入力元から夫々入力されて来る入力情報を選択的に入力させるための選択手段を備える情報処理装置に含まれるコンピュータを、
前記バスを介して接続される前記他の情報処理装置を特定するための特定情報を取得する取得手段、及び、
前記取得した特定情報に基づいて、複数の前記入力元のいずれか一つに代えて一の前記他の情報処理装置を前記選択手段における選択肢として設定する設定手段、
として機能させることを特徴とする情報処理用プログラム。
【発明の詳細な説明】
【０００１】
【発明の属する技術分野】
本願は、情報処理装置、情報処理方法及び情報処理用プログラムの技術分野に属し、より詳細には、一系統のバス内に他の情報処理装置と共に接続されている情報処理装置および当該情報処理装置用の情報処理用プログラム並びに当該情報処理装置において実行される情報処理方法の技術分野に属する。
【０００２】
【従来の技術】
近年、例えば光ディスクに記録されているオーディオ情報を再生するプレーヤ等の情報再生装置と、当該再生されたオーディオ情報を増幅してスピーカ等に出力する増幅装置（いわゆるアンプ）と、を接続する接続方式の規格として、いわゆるＩＥＥＥ１３９４規格が一般化している。
【０００３】
ここで、当該ＩＥＥＥ１３９４規格とは、正式名称を「ＩＥＥＥ　Ｓｔｄ．１３９４−１９９５　ＩＥＥＥ　　Ｓｔａｎｄａｒｄ　　ｆｏｒ　ａ　　Ｈｉｇｈ　　Ｐｅｒｆｏｒｍａｎｃｅ　Ｓｅｒｉａｌ　Ｂｕｓ」と称し、上述した情報再生装置と増幅装置とを有線であるシリアルバスで接続する際に用いられる規格である。
【０００４】
次に、上記ＩＥＥＥ１３９４規格についてその概要を一般的に説明すると、当該ＩＥＥＥ１３９４規格（以下、単にシリアルバス規格と称する）においては、上記情報再生装置及び増幅装置を含む複数種類の情報処理装置（以下、単にノードと称する）間をシリアルバスにより接続し、これら各ノード間で複数チャンネル分の情報伝送を時分割的に実行するように規格化されている。
【０００５】
そして、当該シリアルバス規格によれば、パーソナルコンピュータ等の情報処理装置から高速に制御情報を伝送することにより、家庭電化製品又は音響映像装置等を一元的に制御することが可能となると共に、各ノード間でもオーディオ情報を迅速且つ正確に相互伝送することが可能となる。
【０００６】
ここで、上記シリアルバス規格に準拠したシリアルバスに複数のノードが接続されているときに、その内の一のノードからシリアルバス上の他の複数のノードを見た場合には、当該一のノードには一本のシリアルバスが接続されているのみであるが、そのシリアルバス上に複数のノードが存在していることとなる。
【０００７】
従って、一のノードにおいて他のノードからの情報を選択的に入力させる場合等においては、情報を入力させるべき他のノードをその一のノード上で選択する必要がある。
【０００８】
一方、他のノードからの情報を入力させるに当たり、上記シリアルバス規格上で伝送することが認められていない属性を有する情報を入力させる場合には、上記シリアルバスとは別個にその情報用の線を用いて物理的に各ノード間を接続する必要がある。
【０００９】
【発明が解決しようとする課題】
しかしながら、上述したシリアルバス規格によると、一のノード上で他のノードを選択するときに、一系統のシリアルバス上に多数のノードが存在する場合等においては、所望するノードを検索して情報を入力させるように選択するためには煩雑な手順を踏まなければならないという問題点があった。
【００１０】
そしてこの問題点は、上記したシリアルバス規格上で伝送することが認められていない属性を有する情報を他のノードから一のノードに入力させる場合には、シリアルバスとは別個に物理的な線の繋ぎ換えも必要となるため煩雑さが更に増大するという問題点に繋がるものである。
【００１１】
そこで、本願は、上記の各問題点に鑑みて為されたもので、その課題の一例は、例えば、一系統のシリアルバス上に他の複数の情報処理装置が他のノードとして接続されている場合でも、必要な一の情報処理装置を迅速且つ簡易に選択して当該他の情報処理装置からの情報を入力させることが可能な情報処理装置および当該情報処理装置用の情報処理用プログラム並びに当該情報処理装置において実行される情報処理方法を提供することにある。
【００１２】
【課題を解決するための手段】
上記の課題を解決するために、請求項１に記載の発明は、他の情報処理装置と共に一系統のバスに接続される情報処理装置であって、複数の入力元から夫々入力されて来る入力情報を選択的に入力させるための選択手段を備える情報処理装置において、前記バスを介して接続される前記他の情報処理装置を特定するための特定情報を取得する取得手段と、前記取得した特定情報に基づいて、複数の前記入力元のいずれか一つに代えて一の前記他の情報処理装置を前記選択手段における選択肢として設定する設定手段と、を備える。
【００１３】
上記の課題を解決するために、請求項７に記載の発明は、他の情報処理装置と共に一系統のバスに接続される情報処理装置において実行される情報処理方法であって、複数の入力元から当該情報処理装置に夫々入力されて来る入力情報を選択的に入力させるための選択工程を備える情報処理方法において、前記バスを介して接続される前記他の情報処理装置を特定するための特定情報を取得する取得工程と、前記取得した特定情報に基づいて、複数の前記入力元のいずれか一つに代えて一の前記他の情報処理装置を前記選択工程における選択肢として設定する設定工程と、を備える。
【００１４】
上記の課題を解決するために、請求項８に記載の発明は、他の情報処理装置と共に一系統のバスに接続される情報処理装置であって、複数の入力元から夫々入力されて来る入力情報を選択的に入力させるための選択手段を備える情報処理装置に含まれるコンピュータを、前記バスを介して接続される前記他の情報処理装置を特定するための特定情報を取得する取得手段、及び、前記取得した特定情報に基づいて、複数の前記入力元のいずれか一つに代えて一の前記他の情報処理装置を前記選択手段における選択肢として設定する設定手段、として機能させる。
【００１５】
【発明の実施の形態】
次に、本願に好適な実施の形態について、図面に基づいて説明する。
【００１６】
なお、以下に説明する実施の形態は、ＤＶＤ（Ｄｉｇｉｔａｌ　　Ｖｅｒｓａｔｉｌｅ　Ｄｉｓｃ）等の光ディスクに記録されている動画像情報（オーディオ情報を含む。以下、同様）を再生するプレーヤと、当該プレーヤにおいて再生された動画像情報に対して予め設定された増幅処理及び波形整形処理等を施し、音声情報についてはスピーカを介して出力（放音）すると共に、画像情報についてはディスプレイに表示するレシーバと、当該プレーヤとレシーバとを上記シリアルバス規格に則って有線接続するシリアルバスと、を含む情報再生システムに対して本発明を適応した場合の実施の形態である。
【００１７】
（Ｉ）ＩＥＥＥ１３９４規格について
先ず、具体的な実施形態について説明する前に、実施形態に係るシリアルバス規格の概要について説明する。
【００１８】
一般に、当該シリアルバス規格においては、複数の上記ノード間をシリアルバスにより接続し、これら各ノード間で複数チャンネル分（当該規格においては、一系統のシリアルバスで接続されている系内では最大で６３個の異なるチャンネルを用いて情報伝送できることが規格化されている。）の情報伝送を時分割的に実行するように規格化されている。
【００１９】
ここで、当該シリアルバス規格では、既にシリアルバスで相互に接続されているノード群に新たに他のノードを接続する場合（すなわち、バス接続時）又は上記ノード群から一のノードの接続を取り外す場合（すなわち、バス開放時）において、いわゆるバスリセットと称されるシリアルバスの初期化が実行されることが規格化されている。そして、当該バスリセットに伴って以下の処理が実行され、新たなシリアルバスの接続形態（以下、当該接続形態をトポロジと称する。）が構築される。
（１）バスリセットの発生に伴い、当該バスリセットの発生を検出したノード（すなわち、新たに他のノードが接続されたノード又はそれまでの接続が切り離されたノード）がシリアルバスに接続されている全てのノードに対してバスリセットが発生したことを示すバスリセット信号を送出する。
（２）次に、バスリセット後、各ノードをツリー上に接続するためのツリー識別を行う。そして、当該接続されたツリーの頂点に位置するノードをルートノードとして認識する。
（３）次に、認識されたルートノードが、各ノードをツリー系内で識別するための各ノード毎に固有の識別番号（ＩＤ番号）を当該各ノードに認識させる。
（４）次に、当該形成されたツリー内にある全てのノードの通信状態（具体的には、各ノードの使用チャンネル及び後述する伝送占有時間）を管理し、他のノードが識別可能に現在の使用チャンネル及び現在各ノードにおいて占有されている伝送占有時間を表示するノードであるＩＲＭ（Ｉｓｏｃｈｒｏｎｏｕｓ　　Ｒｅｓｏｕｒｃｅ　　Ｍａｎａｇｅｒ）ノードを設定する。
（５）最後に、全てのノードの情報伝送状態を統括するノードであるバスマネージャノードを設定する。
【００２０】
以上の五段階の処理を経て、バスリセット後の新たなトポロジが構成される。
【００２１】
そして、トポロジの構成後に実際に情報を伝送する場合には、当該情報の伝送を開始しようとするノードである伝送ノードは、上記ＩＲＭノードに対して現在の他のノードによる通信状態を照会し、自己が使用したいチャンネル及び伝送占有時間が使用可能であるならば、当該伝送ノードは情報を伝送する権利を獲得し（より具体的には、伝送ノードが使用するチャンネル及び後述する伝送占有時間を当該伝送ノードが確保して）情報伝送を開始する。このとき、当該情報伝送の直前に、当該伝送ノードは、上記ＩＲＭノードにおける通信状態の表示を書き換える旨（すなわち、当該伝送ノードが情報伝送を開始することによりシリアルバス上の使用中チャンネル及び伝送占有時間が変化するので、この変化後の新しい通信状態に当該表示内容を書き換える必要がある。）をＩＲＭノードに伝送し、これを受けたＩＲＭノードはその表示内容を更新する処理を夫々実行する。この後は、当該更新後の表示内容が他のノードから夫々参照することが可能となるのである。
【００２２】
次に、上記伝送占有時間について略説する。
【００２３】
ＩＥＥＥ１３９４規格においては、各ノードからの情報はアイソクロナスサイクル（ここで、「サイクル」とは、シリアルバス上を時分割的に分割して形成される一のサイクルをいう。）と称される単位毎に纏められて送信される。このアイソクロナスサイクルには、他のアイソクロナスサイクル内に含まれる情報と同期して伝送される情報（具体的には、画像情報又はオーディオ情報等）が含まれるアイソクロナス伝送領域と、他の情報とは無関係に非同期で伝送される情報（具体的には、上記画像情報又はオーディオ情報の出力等を制御するための制御情報等）が含まれるアシンクロナス伝送領域とが含まれている。そして、このアイソクロナス伝送領域内の情報が異なったチャンネル毎に時分割されており、夫々のチャンネル毎に異なった情報が伝送される。
【００２４】
このとき、当該アイソクロナス伝送領域においては、一のアイソクロナスサイクル内におけるアイソクロナス伝送領域の時間的長さが最大で１００μｓｅｃであることが規格化されており、従って、一のアイソクロナス伝送領域内の各チャンネルに割り当てられる情報がその伝送のために占有する時間の合計も１００μｓｅｃ以下とする必要がある。この時、当該一のチャンネルがアイソクロナスサイクル内で占有する伝送時間が上記伝送占有時間である。
【００２５】
なお、この伝送占有時間は、場合によってはシリアルバスの使用帯域と称されることもあり、また、シリアルバスの使用容量と称される場合もある。一方、一のアイソクロナスサイクル内において、アイソクロナス伝送領域の長さが１００μｓｅｃ未満（零の場合も含む。）であるときは、当該アイソクロナス伝送領域以外のアイソクロナスサイクル内の時間は専らアシンクロナス伝送領域として用いられる。
【００２６】
（ＩＩ）実施形態の詳細
（Ａ）全体構成及び全体動作の説明
次に、上述したシリアルバス規格に準拠して動画像情報を伝送する実施形態に係る情報再生システムの全体構成について、図１を用いて説明する。なお、図１は実施形態に係る情報再生システムに含まれる上記プレーヤ及びレシーバの概要構成を示すブロック図である。
【００２７】
図１に示すように、実施形態に係る情報再生システムＳは、他の情報処理装置としてのプレーヤＰと、情報処理装置としてのレシーバＲと、当該プレーヤＰとレシーバＲとを上記シリアルバス規格に則って接続するシリアルバスＢと、により構成されている。
【００２８】
また、プレーヤＰは、検出部１と、デコード部２と、インタフェース３と、システム制御部４と、入力操作部５と、表示部６と、により構成されている。
【００２９】
更に、レシーバＲは、上記シリアルバス規格に準拠していない機器が夫々接続される複数の入力端子を含む入力端子部ＩＮと、インタフェース１０と、デコーダ１１と、選択手段としてのホストマイコン１２と、抽出手段、取得手段及び設定手段としてのメインマイコン１３と、記憶手段としてのＳＲＡＭ（Ｓｔａｔｉｃ　Ｒａｎｄｏｍ　Ａｃｃｅｓｓ　Ｍｅｍｏｒｙ）１４と、ＥＥＰＲＯＭ（Ｅｌｅｃｔｒｉｃ　Ｅｒａｓａｂｌｅ　ａｎｄ　　Ｐｒｏｇｒａｍｍａｂｌｅ　　Ｒｅａｄ　　Ｏｎｌｙ　　Ｍｅｍｏｒｙ）１５と、入力操作部１６と、第１告知手段、第２告知手段及び告知手段としての表示部１７と、加算器１８と、により構成されている。ここで、レシーバＲには、表示手段としてのディスプレイＤと、スピーカＳＰと、が接続されている。
【００３０】
次に、全体動作を説明する。
【００３１】
先ず、プレーヤＰ内の検出部１は、動画像情報が予め記録されたＤＶＤ等の光ディスクＤＫを回転させるためのスピンドルモータ、当該回転している光ディスクＤＫから上記動画像情報を光学的に検出するピックアップ及び当該検出された動画像情報に対して予め設定された振幅増幅等の前処理を施す処理部等を含んで構成されており、当該光ディスクＤＫが装填されると、制御信号Ｓｃｐを用いたシステム制御部４の制御の下、当該光ディスクＤＫに記録されている動画像情報を光学的に検出し、当該検出した動画像情報に対応する検出信号Ｓｐを生成してデコード部２へ出力する。
【００３２】
これにより、デコード部２は、制御信号Ｓｃｄを用いたシステム制御部４の制御の下、上記検出信号Ｓｐに含まれている動画像情報を復号し、当該復号した動画像情報におけるオーディオ情報のみを含む復号情報Ｓｄを生成してインタフェース３へ出力する。
【００３３】
これと並行して、デコード部２は、制御信号Ｓｃｄを用いたシステム制御部４の制御の下、上記検出信号Ｓｐに含まれている動画像情報を復号し、当該復号した動画像情報における画像情報のみを含む画像復号情報Ｓｖを生成して直接レシーバＲの図示しない画像入力端子に出力する。このとき、当該画像復号情報ＳｖのプレーヤＰからレシーバＲへの伝送は上記シリアルバス規格に則ったものではない。
【００３４】
次に、インタフェース３は、制御信号Ｓｃｉを用いたシステム制御部４の制御の下、復号後の復号情報Ｓｄに対して上記シリアルバス規格に基づく出力インタフェース処理を施し、プレーヤ出力情報としてシリアルバスＢを介してレシーバＲに出力する。このとき、当該インタフェース３は、上記復号情報Ｓｄに含まれているオーディオ情報を各アイソクロナスパケット（必要な同期情報等を含む）に分割し、上記プレーヤ出力情報を形成してシリアルバスＢ上に送出することとなる。
【００３５】
一方、上述した一連のプレーヤＰにおける動作を制御するための操作は入力操作部５において操作者により実行され、当該実行された操作に対応する操作信号Ｓｉｎが生成されてシステム制御部４へ出力される。
【００３６】
そして、システム制御部４は、後述するフローチャートにより示される処理が実現されるようにプレーヤＰを構成する各構成部材を統括制御すべく、上記操作信号Ｓｉｎに基づいて当該各構成部材を制御するための上記制御信号Ｓｃｐ，Ｓｃｄ及びＳｃｉを生成して出力する。
【００３７】
更に、当該システム制御部４による統括制御処理において上記操作者に対して提示すべき情報は、表示情報Ｓｄｐとしてシステム制御部４から出力される。
【００３８】
そして、例えば液晶表示部等よりなる表示部６は、当該表示情報Ｓｄｐに基づいて当該提示すべき情報を表示する。
【００３９】
他方、上記インタフェース３から出力されてきたプレーヤ出力情報を受信するレシーバＲにおけるインタフェース１０は、シリアルバスＢを介して出力されてきた当該プレーヤ出力情報に対して上記シリアルバス規格に則った入力インタフェース処理を実行し、受信情報Ｓｒとしてデコード部１１へ出力する。
【００４０】
このとき、当該インタフェース１０の動作は、制御信号Ｓｃｈを用いたホストマイコン１２からの制御に基づいて実行される。なお、ホストマイコン１２によるインタフェース１０の動作の制御に当たって必要な情報は、メモリ情報ＳｓｒとしてＳＲＡＭ１４に一時的に記憶されると共に、必要に応じてメモリ情報Ｓｓｒとして夫々読み出され、当該インタフェース１０の制御に用いられる。更に、当該ホストマイコン１２におけるインタフェース１０の制御は、メインマイコン１３からの制御信号Ｓｃｍに基づいて当該メインマイコン１３により統轄制御される。
【００４１】
次に、デコード部１１は、制御信号Ｓｃｄを用いたメインマイコン１３の制御の下、当該生成された受信情報Ｓｒに含まれているオーディオ情報に対して増幅処理及び波形整形処理等の予め設定された受信処理を施し、当該オーディオ情報に対応する出力情報Ｓｏを生成して外部のスピーカＳＰに出力する。
【００４２】
これにより、スピーカＳＰは、当該出力情報Ｓｏに含まれるオーディオ情報を音として放音する。
【００４３】
一方、上述した一連のレシーバＲにおける動作を制御するための操作は入力操作部１６において操作者により実行され、当該実行された操作に対応する操作信号Ｓｉｎが生成されてメインマイコン１３へ出力される。
【００４４】
そして、メインマイコン１３は、後述する各フローチャートにより示される処理が実現されるようにホストマイコン１２を含むレシーバＲを構成する各構成部材を統括制御すべく、上記操作信号Ｓｉｎに基づいて当該各構成部材を制御するための上記制御信号Ｓｃｍ及びＳｃｄを生成して出力する。なお、メインマイコン１３によるホストマイコン１２等の動作の制御に当たって必要な情報は、夫々メモリ情報ＳｅｐとしてＥＥＰＲＯＭ１５に一時的に記憶されると共に、必要に応じてメモリ情報Ｓｅｐとして読み出され、当該制御に用いられる。
【００４５】
更に、当該メインマイコン１３による統括制御処理において上記操作者に対して提示すべき情報の一部は、表示情報Ｓｄｐとしてメインマイコン１３から出力される。
【００４６】
そして、例えば液晶表示部等よりなる表示部１７は、当該表示情報Ｓｄｐに基づいて当該提示すべき情報を表示する。
【００４７】
また、当該操作者に対して提示すべき情報のうち表示部１７において表示できないものは、表示情報Ｓｃｃとしてメインマイコン１３から出力され、加算器１８を介して表示情報Ｓｄｄとして外部のディスプレイＤに出力され、必要な情報が提示可能とされている。
【００４８】
他方、プレーヤＰ内のデコード部２から直接出力されている上記画像復号情報Ｓｖは、そのまま加算器１８を介して表示情報Ｓｄｄとして外部のディスプレイＤに出力され、対応する動画像が表示される。
【００４９】
また、入力端子部ＩＮ内のいずれかの入力端子に接続されている機器からの情報は、ホストマイコン１２による当該入力端子の切換処理に基づき端子情報Ｓｔとしてインタフェース１０へ出力され、制御信号Ｓｃｈを用いたホストマイコン１２の制御の下、インタフェース１０を介してデコード部１１に出力されて復号処理に供される。
【００５０】
（Ｂ）機器認識処理の実施形態
次に、レシーバＲにおいて実行される実施形態に係る機器割当処理について具体的に説明する前に、当該機器割当処理の前提となるべくレシーバＲにおいて実行される機器認識処理について、具体的に図２及び図３を用いて説明する。
【００５１】
なお、図２は当該機器認識処理を示すフローチャートであり、図３は当該機器認識処理の結果、レシーバＲを含む各ノード内に形成される機器認識データベースの内容を例示する図である。
【００５２】
以下に説明する機器認識処理は、具体的には上述したバスリセット発生直後に当該リセットされたシリアルバスＢに接続されている各ノード（実施形態のプレーヤＰ及びレシーバＲを含む）において実行される処理であり、各ノードにおいてリセット後のシリアルバスＢに接続されている他のノードの状態を把握するための処理である。
【００５３】
また、実施形態の機器認識処理は、各ノード内の機器情報ＲＯＭに予め記憶されている機器情報（上記シリアルバス規格上は、「Ｃｏｎｆｉｇｕｒａｔｉｏｎ　　ＲＯＭ」と称されている）の内容を他のノードにおいて認識することにより実行される。
【００５４】
すなわち、実施形態の機器認識処理においては、バスリセットが発生したら、初めに当該リセット後のシリアルバスＢに接続されているノードの数を取得すると共に、当該各ノード内の機器情報における当該ノードにおけるシリアル番号（各ノードの個体毎に異なる番号であり、上記シリアルバス規格上は、「ＧＵＩＤ（Ｇｌｏｂａｌ　　Ｕｎｉｑｕｅ　　Ｉｄｅｎｔｉｆｉｃａｔｉｏｎ）」と称されている）を各ノード毎に取得する（ステップＳ１）。
【００５５】
次に、ステップＳ１において取得したノード数が「１」より大きいか否かを確認し（ステップＳ２）、当該ノード数が「１」以下であるときは（ステップＳ２；ＮＯ）、現在図２に示す機器認識処理が実行されているレシーバＲ以外にシリアルバス規格に準拠したノードが接続されていないこととなるので、そのままシリアルバス規格に則った機器認識処理を終了する。
【００５６】
一方、ステップＳ２の判定において、取得したノード数が「１」より大きいときは（ステップＳ２；ＹＥＳ）、次に、各ノード内の機器情報における通信速度情報を取得してそのときのシリアルバスＢにおける通信速度を設定する（ステップＳ３）。
【００５７】
次に、ステップＳ１において取得したシリアル番号に基づき、当該シリアル番号に対応するノードが既に後述の機器認識データベース内に登録されているか否かを確認する（ステップＳ４）。そして、既に登録済みであるときは（ステップＳ４；ＹＥＳ）、再度登録する必要はないので、そのまま後述するステップＳ９に移行する。
【００５８】
他方、ステップＳ４の判定において、未だ登録されていないときは（ステップＳ４；ＮＯ）、当該未登録のノード内の機器情報を読み込む（ステップＳ５）。ここで、ステップＳ５の処理において読み込まれる機器情報として具体的には、対応するノードの製造者識別情報、型式識別情報、そのノードが上記シリアルバス規格において定められている命令形式として周知のＡＶ／Ｃ（Ｃｏｎｓｕｍｅｒ　Ａｕｄｉｏ／Ｖｉｄｅｏ）コマンド（正式名称は、「ＡＶ／Ｃ　Ｄｉｇｉｔａｌ　　Ｉｎｔｅｒｆａｃｅ　Ｃｏｍｍａｎｄ　　Ｓｅｔ」である）形式に準拠しているか否かを示す情報、製造者名情報、型式名情報及びシリアルバスＢ上におけるそのノードの識別情報等が夫々読み込まれる。
【００５９】
そして、機器情報の読み込みが完了すると、次に、当該読み込んだ機器情報に基づいて、対応するノードが上記ＡＶ／Ｃコマンド形式に準拠しているか否かを確認し（ステップＳ６）、当該ＡＶ／Ｃコマンド形式に準拠していないときは（ステップＳ６；ＮＯ）上記シリアルバス規格に則った機器認識は不要となるので、その旨を上記ＳＲＡＭ１４に記憶させる（ステップＳ８）。
【００６０】
一方、ステップＳ６の判定において、対応するノードが上記ＡＶ／Ｃコマンド形式に準拠しているときは（ステップＳ６；ＹＥＳ）、次に、当該ＡＶ／Ｃコマンドを用いてそのノードの属性等を調査する（ステップＳ７）。
【００６１】
このステップＳ７の処理として具体的には、当該ノード自体の属性（プレーヤかレシーバか等）、当該ノードが備える各機能の属性（記録機能を備えているか又は再生機能を備えているか等）、当該ノードにおける情報の入出力端子の数及び各入出力端子及び当該各入出力端子に接続されているインタフェースが上記シリアルバス規格において定めされているプロトコル（通信規約）として周知のＡ＆Ｍ（Ａｕｄｉｏ　　＆　Ｍｕｓｉｃ）プロトコルに準拠した送受信処理が可能とされているか否か、を夫々に確認し、その内容を上記ＳＲＡＭ１４内に記憶させる（ステップＳ８）。
【００６２】
そして、現在シリアルバスに接続されている全てのノードについて上記ステップＳ３乃至Ｓ９の処理が終了したか否かを確認し（ステップＳ９）、全てのノードについて終了していないときは（ステップＳ９；ＮＯ）、当該処理が完了していないノードについて上記ステップＳ３乃至Ｓ９の処理を実行すべく当該ステップＳ３に戻り、一方、全てのノードについて必要な処理が終了しているときは（ステップＳ９；ＹＥＳ）、実施形態に係る機器認識処理を完了する。
【００６３】
次に、図２に示す機器認識処理が完了したときにＳＲＡＭ１４内に形成されている機器認識データベースについて図３を用いて説明する。
【００６４】
図２に示す機器認識処理が完了した後には、ＳＲＡＭ１４上にはシリアルバスに現在有効に接続されている各ノード毎に機器認識データベースＤＢが形成されている。そして、その内容として具体的には、当該機器認識データベースＤＢには、そのノードのシリアル番号を示すシリアル番号情報２０（図２ステップＳ１参照）と、そのノードの製造者を示す製造者識別情報２１（図２ステップＳ５参照）と、そのノードの形式を示す型式識別情報２２（図２ステップＳ５参照）と、そのノードの製造者名を示す製造者名情報２３（図２ステップＳ５参照）と、そのノードの型式名を示す型式名情報２４（図２ステップＳ５参照）と、そのノードの属性を示す種類情報２５（図２ステップＳ７参照）と、そのノードがアシンクロナス伝送領域を用いて伝送される制御情報に対応しているか否かを示す制御情報対応情報２６（図２ステップＳ７参照）と、通信速度情報２７（図２ステップＳ３参照）と、そのノードに備えられている出力機能に関する情報である出力機能情報２８（図２ステップＳ７参照）と、そのノードにおけるその他の状態（例えばシリアルバスＢ内のノードとしての識別情報及び同機器重複情報等）を示す機器情報２９と、が含まれている。
【００６５】
（Ｃ）機器割当処理の実施形態
次に、上述してきた機能認識処理の完了を前提とする実施形態に係る機器割当処理について、図４乃至図６を用いて説明する。
【００６６】
なお、図４は実施形態に係る機器割当処理の全体を示すフローチャートであり、図５は当該機器割当処理の細部を示すフローチャートであり、図６は当該機器割当処理の実行時に表示情報Ｓｃｃに基づいてディスプレイＤに表示される画面例である。
【００６７】
以下に説明する機器割当処理は、レシーバＲの入力端子部ＩＮに複数備えられている入力端子に夫々直接接続されている機器であって、シリアルバス規格に準拠していない機器である非準拠機器（例えば、テレビジョン装置やビデオカセットレコーダ、或いはアナログレコードプレーヤ等）を選択するために設けられている選択肢のいずれかに、当該選択肢により本来選択されるべき非準拠機器（レシーバＲの対応する入力端子に夫々直接されている非準拠機器）に代えてシリアルバス規格に準拠してレシーバＲに接続されている一のノードを割り当てる処理である。
【００６８】
なお、以下の説明においては、上記選択肢を一般に「ファンクション」、レシーバＲに元々備えられている入力端子に夫々直接接続されている機器を選択するための選択肢を「固定ファンクション」、上記入力端子以外にシリアルバスＢを介してシリアルバス規格に準拠して接続されているノードを選択するための選択肢を「仮想ファンクション」と称する。
【００６９】
図４に示すように、実施形態の機器割当処理においては、初めに、現在シリアルバスＢ上に、いずれかの固定ファンクションに対して割り当てることが可能なシリアルバス規格準拠のノードが存在しているか否かを確認する（ステップＳ１０）。そして、割り当て可能なノードが存在していないときは（ステップＳ１０；ＮＯ）、機器割当処理自体が実行不可能であるのでそのまま機器割当処理を終了する。
【００７０】
一方、現在シリアルバスＢ上に割り当て可能なシリアルバス規格準拠のノードが存在しているときは（ステップＳ１０；ＹＥＳ）、次に、ノードを割り当てる固定ファンクションを選択する（ステップＳ１１）。このとき、ステップＳ１１の処理においては、図６に示すように、ディスプレイＤ上に当該割り当てを受ける固定ファンクションを選択するための選択領域ＦＣが表示され、この選択領域ＦＣ上においてボタンＢＦを入力操作部１６により操作することで、割り当てを受ける固定ファンクションが選択される。
【００７１】
固定ファンクションの選択が完了すると、次に、当該選択された固定ファンクションに割り当てるべきノードを選択する（ステップＳ１２）。このとき、ステップＳ１２の処理においては、図６に示すように、ディスプレイＤ上に当該割り当てるノードを選択するための選択領域ＯＪが表示され、この選択領域ＯＪ上においてボタンＢＪを入力操作部１６により操作することで、ＳＲＡＭ１４上に記憶されている機器認識データベースＤＢの順に選択候補としてのノードが表示され、対応する固定ファンクション毎（選択領域ＦＣ内に番号にて表示されている）にその固定ファンクションに割り当てるノードが選択される。
【００７２】
そして、固定ファンクション及びそれに割り当てるノードが選択されると、当該対応付けられている固定ファンクションとノードとの割当関係を識別するための割当情報が生成され、ＥＥＰＲＯＭ１５内に記憶させる（ステップＳ１３）。
【００７３】
その後、他の固定ファンクションに対して機器割当処理を繰り返すか否かをディスプレイＤ上において確認し（ステップＳ１４）、繰り返すときは（ステップＳ１４；ＹＥＳ）上記ステップＳ１１に戻って次のノードに対して上述した一連の機器割当処理を実行し、一方、機器割当処理を終了するときは（ステップＳ１４；ＮＯ）そのまま機器割当処理を終了する。
【００７４】
次に、図４に示すステップＳ１４の処理中に図６に示す選択画面上における選択領域ＯＪにおいて実行されるカーソルの移動処理について、図５及び図６を用いて説明する。
【００７５】
図５に示すように、固定ファンクションに割り当てられるべきノードを選択する際のカーソル（すなわち、現在選択されているノードを他のノードと区別して表示するためのカーソル）の移動処理においては、初めに、入力操作部１６においてカーソルを移動させるべき操作が為されたか否かが確認され（ステップＳ１５）、当該操作が為されているときは、次に、その移動先の選択肢（シリアルバスＢ上におけるノード番号の順に従って選択すべきノードの候補が表示される）が上記Ａ＆Ｍプロトコルに準拠したノードであるか、又は図６に示すリターンボタンＲＴであるか否かが確認される（ステップＳ１６）。
【００７６】
そして、移動先の選択肢がＡ＆Ｍプロトコルに準拠したノードであるか、又はリターンボタンＲＴである場合には（ステップＳ１６；ＹＥＳ）、その選択肢上にカーソルを移動して（ステップＳ１７）元の機器割当処理に移行する。
【００７７】
一方、移動先の選択肢がＡ＆Ｍプロトコルに準拠したノードでなく、且つリターンボタンＲＴでもないときは（ステップＳ１６；ＹＥＳ）、その選択肢の後にある直近のＡ＆Ｍプロトコルに準拠したノード上にカーソルを移動して（ステップＳ１８）元の機器割当処理に移行する。なお、ステップＳ１８の処理において、その選択肢の後にＡ＆Ｍプロトコルに準拠したノードがないときは上記リターンボタンＲＴ上にカーソルを移動させる。
【００７８】
（Ｄ）ファンクション切換処理の実施形態
次に、上述した機器割当処理が完了した後に実際にレシーバＲにおいて動画像情報等を受信する際にメインマイコン１３を中心に実行されるファンクションの切換処理について、図７及び図８を用いて説明する。
【００７９】
なお、図７は当該切換処理を示すフローチャートであり、図８は当該切換処理後の動画像情報等の受信中の表示部１７における表示例を示す図である。
【００８０】
以下に説明するファンクションの切換処理においては、上記機器割当処理によりノードが割り当てられた固定ファンクションと、当該ノードの割り当てが実行されなかった固定ファンクションとが混在する場合における当該ファンクションの切換処理である。
【００８１】
実施形態に係るファンクションの切換処理においては、図７に示すように、初めに、入力操作部１６においていずれかのファンクションを切り換える（又は選択する）旨の操作が為されたか否かが確認される（ステップＳ２０）。
【００８２】
そして、ファンクション切換処理を実行するときは、次に、その操作により示されている切換先のファンクションがレシーバＲに元々備わっている固定ファンクションであるか否かを確認する（ステップＳ２１）。
【００８３】
ステップＳ２１の判定において、指示されている切換先が固定ファンクションであるときは（ステップＳ２１；固定ファンクション）、次に、当該切換先の固定ファンクションに対してノードの割り当てが為されているか否かが確認される（ステップＳ２２）。このとき、ステップＳ２２の処理においては、図４ステップＳ１３の処理によりＥＥＰＲＯＭ１５に記憶されている割当情報に基づいて判定される。
【００８４】
そして、ステップＳ２２の判定において、切換先の固定ファンクションに対してノードの割り当てが為されていないときは（ステップＳ２２；無）、元々その固定ファンクションとして選択すべき非準拠機器からの情報を受信して出力する処理を実行して（ステップＳ２３）実施形態のファンクション切換処理を終了する。
【００８５】
ここで、ステップＳ２３の処理を実行する際の表示部１７における表示について図８（ａ）を用いて説明すると、上述したようにステップＳ２３の処理においては、レシーバＲに元々備えられている固定ファンクションの一つとして選択すべき非準拠機器からの情報をそのまま受信することとなるので、表示部１７における当該固定ファンクション（すなわち、ノードの割り当てが為されていない固定ファンクション）を示す複数のインジケータ３０のうち、現在選択されている固定ファンクションに対応するインジケータ３０が点灯すると共に、その固定ファンクションに接続されている非準拠機器の属性を示す表示が表示パネルＰＬ上において実行される。なお、図８（ａ）に示す例では、現在はＤＶＤプレーヤ又はＬＤ（ＬＡＳＥＲ　　Ｄｉｓｃ）プレーヤが接続されるべき入力端子に対応する固定ファンクションが選択されていることがインジケータ３０の表示により認識できると共に、表示パネルＰＬ上には当該ＤＶＤプレーヤ又はＬＤプレーヤが接続されていることが表示されている。
【００８６】
次に、ステップＳ２２の判定において、切換先の固定ファンクションに対してノードの割り当てが為されているときは（ステップＳ２２；有）、次に、その割り当てられているノードからの情報を受信して出力する処理を実行して（ステップＳ２４）実施形態のファンクション切換処理を終了する。
【００８７】
ここで、ステップＳ２４の処理を実行する際の表示部１７における表示について図８（ｂ）を用いて説明すると、上述したようにステップＳ２４の処理においては、レシーバＲに元々備えられている固定ファンクションに後から割り当てられたノードからの情報を受信することとなるので、表示部１７におけるインジケータ３０については、当該固定ファンクション（すなわち、ノードの割り当てが為されている固定ファンクション）を示すインジケータ３０が点灯すると共に、その固定ファンクションに割り当てられているノードの属性を示す表示が表示パネルＰＬ上において実行される。なお、図８（ｂ）に示す例では、現在はＤＶＤプレーヤ又はＬＤプレーヤが選択されるべき固定ファンクションに対して割り当てられているノードがあることがインジケータ３０の表示により認識できると共に、表示パネルＰＬ上には当該割り当てられているノードを示す名称とその属性が表示されている。
【００８８】
他方、ステップＳ２１の判定において、指示されている切換先が固定ファンクションでないときは（ステップＳ２１；仮想ファンクション）、現在は、仮想ファンクションとしていずれかのノードを選択すべきことが指示されていることとなるので、次に、当該仮想ファンクションとして選択すべきノードからの情報を受信して出力する処理を実行して（ステップＳ２５）実施形態のファンクション切換処理を終了する。
【００８９】
ここで、ステップＳ２５の処理を実行する際の表示部１７における表示について図８（ｃ）を用いて説明すると、上述したようにステップＳ２５の処理においては、レシーバＲにシリアルバスＢを介して接続されていると共に固定ファンクションに割り当てられていないノードからの情報を受信することとなるので、表示部１７におけるインジケータ３０はいずれも点灯せず、その仮想ファンクションに接続されているノードの名称及び属性を示す表示が表示パネルＰＬ上において実行される。なお、図８（ｃ）に示す例では、仮想ファンクションが選択されていることがインジケータ３０の消灯状態により認識できると共に、表示パネルＰＬ上には仮想ファンクションに接続されているノードの名称及び属性が表示されている。
【００９０】
（Ｅ）割当状態復帰処理の実施形態
最後に、上述した機器割当処理及びファンクション切換処理が完了した後に実際にレシーバＲにおいて動画像情報等を受信中にバスリセットが発生した場合又はレシーバＲの電源スイッチが一旦オフとされた後に再度オンとされた場合にメインマイコン１３を中心に実行される割当状態の復帰処理について、図９及び図１０を用いて説明する。
【００９１】
なお、図９は当該復帰処理を示すフローチャートであり、図１０は当該復帰処理後において動画像情報等の受信中の表示部１７における表示例を示す図である。
【００９２】
以下に説明する割当状態の復帰処理は、上記バスリセットが発生した場合又はレシーバＲの電源スイッチがオンとされた場合に直前までの割当状態に復帰するための処理である。
【００９３】
実施形態に係る割当状態の復帰処理においては、図９に示すように、初めに、バスリセット又は電源スイッチが新たにオンとされると、上記ＥＥＰＲＯＭ１５に記憶されている割当情報を読み出し（ステップＳ３０）、次に、現在シリアルバスＢ上に接続されている各ノードの機器情報を取得する（ステップＳ３１）。このステップＳ３１の処理については、後程詳述する。
【００９４】
機器情報の取得が完了すると、次に、上記バスリセットの発生直前又はレシーバＲの電源スイッチがオフとされる直前まで選択されていたファンクションがレシーバＲに元々備わっている固定ファンクションであるか否かを確認する（ステップＳ３２）。
【００９５】
ステップＳ３２の判定において、選択されているファンクションが固定ファンクションであるときは（ステップＳ３２；固定ファンクション）、次に、当該選択されている固定ファンクションに対してノードの割り当てが為されているか否かが確認される（ステップＳ３３）。このとき、ステップＳ３３の処理においては、ステップＳ３０の処理により読み出された割当情報に基づいて判定される。
【００９６】
そして、ステップＳ３３の判定において、選択された固定ファンクションに対してノードの割り当てが為されていないときは（ステップＳ３３；無）、元々その固定ファンクションとして選択すべき非準拠機器からの情報を受信して出力する処理を実行して（ステップＳ３５）実施形態の割当情報の復帰処理を終了する。
【００９７】
ここで、ステップＳ３５の処理を実行する際の表示部１７における表示については、ステップＳ３５の処理においてレシーバＲに元々備えられている固定ファンクションの一つとして選択すべき非準拠機器からの情報をそのまま受信することとなるので、その表示は上述した図８（ａ）に例示した場合と同様のものとなる。
【００９８】
次に、ステップＳ３３の判定において、選択された固定ファンクションに対してノードの割り当てが為されているときは（ステップＳ３３；有）、次に、その割り当てられているノードが実際にシリアルバスＢ上に接続されているか否かをステップＳ３１の処理の結果に基づいて判定する（ステップＳ３４）。
【００９９】
そして、割り当てられているノードが実際に接続されているときは（ステップＳ３４；接続）、その接続されているノードからの情報を受信して出力する処理を実行して（ステップＳ３６）実施形態の割当情報の復帰処理を終了する。
【０１００】
ここで、ステップＳ３６の処理を実行する際の表示部１７における表示については、ステップＳ３６の処理においては、レシーバＲに元々備えられている固定ファンクションに後から割り当てられたノードからの情報を受信することとなるので、その表示は上述した図８（ｂ）に例示した場合と同様のものとなる。
【０１０１】
他方、ステップＳ３４の判定において、割り当てられているノードが実際には接続されていないときは（ステップＳ３４；非接続）、割り当てられているノードからの情報の受信は不可能であるので、元の固定ファンクションとして選択されるべき非準拠機器からの情報の受信処理に移行する（ステップＳ３５）。
【０１０２】
一方、ステップＳ３２の判定において、選択されているファンクションが固定ファンクションでないときは（ステップＳ３２；仮想ファンクション）、現在は、仮想ファンクションとしていずれかのノードを選択すべきことが指示されていることとなるので、次に、その指示されているノードが実際にシリアルバスＢ上に接続されているか否かをステップＳ３１の処理の結果に基づいて判定する（ステップＳ３８）。
【０１０３】
そして、仮想ファンクションとして割り当てられているノードが実際に接続されているときは（ステップＳ３７；接続）、当該仮想ファンクションとして選択すべきノードからの情報を受信して出力する処理を実行して（ステップＳ３９）実施形態の割当状態の復帰処理を終了する。
【０１０４】
ここで、ステップＳ３９の処理を実行する際の表示部１７における表示については、ステップＳ３９の処理においては、レシーバＲにシリアルバスＢを介して接続されていると共に固定ファンクションに割り当てられていないノードからの情報を受信することとなるので、その表示は上述した図８（ｃ）に例示した場合と同様のものとなる。
【０１０５】
他方、ステップＳ３７の判定において、仮想ファンクションとして割り当てられているノードが実際には接続されていないときは（ステップＳ３７；非接続）、割り当てられているノードからの情報の受信は不可能であるので、ファンクションを固定ファンクションに切り換えて（ステップＳ３８）上記ステップＳ３３以降の処理を実行する。
【０１０６】
次に、上記ステップＳ３１における機器データの受信処理の細部について、図１０を用いて説明する。
【０１０７】
当該受信処理においては、図１０に示すように、初めに、現在シリアルバスＢ上にレシーバＲ以外にシリアルバス規格に準拠したノードが接続されているか否かを確認し（ステップＳ４０）、いずれのノードも接続されていないときは（ステップＳ４０；接続無）そのまま上記ステップＳ３２に移行し、一方、いずれかの他のノードが接続されているときは（ステップＳ４０；接続有）、次に、その接続されている数だけ機器情報を取得する（ステップＳ４１）。このステップＳ４１の処理についてより具体的には上記図２において説明した一連の機器認識処理が実行されることとなる。
【０１０８】
機器情報の取得が完了したならば、次に、取得した機器情報に基づいて各ノードの属性毎に並べ替え（ステップＳ４２）、当該並べ替え後の状態で当該機器情報をメインマイコン１４内の図示しないＲＡＭ（Ｒａｎｄｏｍ　Ａｃｃｅｓｓ　Ｍｅｍｏｒｙ）内に実際に使用する機器情報として格納し（ステップＳ４３）元のステップＳ３２に移行する。ここで、ステップＳ４２における並べ替えの順序として具体的には、例えば、機器情報が取得されているノードのうちＡ＆Ｍプロトコルに準拠しているノードを当該Ａ＆Ｍプロトコルに準拠していないノードより前に並べ替える。このように並べ替えることで、上述した図４ステップＳ１２の選択処理において、Ａ＆Ｍプロトコルに準拠しているノードが優先的に選択候補として表示されることとなる。
【０１０９】
以上説明したように、実施形態の情報再生システムＳにおける動作によれば、シリアルバスＢによって接続されているノードを、入力元の一つとして固定ファンクションに割り当てるので、一系統のシリアルバスＢ上に複数のノードが接続されている場合でも、必要な一のノードを迅速且つ簡易に選択して当該ノードからの情報を入力させることができる。
【０１１０】
また、当該ノードが実際に入力元として選択されているとき、当該ノードを示す名称を表示パネルＰＬ上に表示すると共に割り当てられている固定ファンクションも識別可能に表示されるので、現在選択されているノードを識別しつつ当該ノードがいずれの固定ファンクションに割り当てられているかを認識することができる。
【０１１１】
更に、固定ファンクションに割り当てられていないノードからの情報を入力させるとき当該ノードを示す名称のみを表示パネルＰＬ上に表示するので、固定ファンクションに割り当てられていないノードからの情報が入力されていることを明確に認識することができる。
【０１１２】
更にまた、ノードを固定ファンクションに割り当てるに当たって、当該固定ファンクションに割り当てることが可能なノードのみが選択可能に表示されるので、必要な条件を具備していないノードが割り当てられることを防止できる。
【０１１３】
また、割当情報がＥＥＰＲＯＭ１５内に記憶されるので、固定ファンクションとして割り当てられたノードがシリアルバスＢから分離された後再度当該シリアルバスＢに接続された場合でも、再度機器割当処理を行うことなしに当該ノードを固定ファンクションに割り当てることができる。
【０１１４】
なお、図２、図４、図５、図７、図９及び図１０に示すフローチャートに対応するプログラムをフレキシブルディスク又はハードディスク等の情報記録媒体に記録しておき、或いはインターネット等のネットワークを介して取得して記録しておき、これを汎用のマイクロコンピュータ等により読み出して実行することにより、当該マイクロコンピュータ等を実施形態におけるメインマイコン１３又はホストマイコン１２として機能させることも可能である。
【図面の簡単な説明】
【図１】実施形態の情報再生システムの概要構成を示すブロック図である。
【図２】実施形態に係る機器認識処理を示すフローチャートである。
【図３】実施形態の機器認識データベースの内容を例示する図である。
【図４】実施形態の機器割当処理を示すフローチャートである。
【図５】実施形態のカーソル移動処理を示すフローチャートである。
【図６】実施形態の選択画面を例示する図である。
【図７】実施形態のファンクション切換処理を示すフローチャートである。
【図８】実施形態の表示画面例を示す図であり、（ａ）は第１の表示例を示す図であり、（ｂ）は第２の表示例を示す図であり、（ｃ）は第３の表示例を示す図である。
【図９】実施形態の割当状態復帰処理を示すフローチャートである。
【図１０】実施形態の機器データ受信処理を示すフローチャートである。
【符号の説明】
１…検出部
２…デコード部
３、１０…インタフェース
４…システム制御部
５、１６…入力操作部
６、１７…表示部
１１…デコーダ
１２…ホストマイコン
１３…メインマイコン
１４…ＳＲＡＭ
１５…ＥＥＰＲＯＭ
１８…加算器
Ｓ…情報再生システム
Ｐ…プレーヤ
Ｒ…レシーバ
Ｂ…シリアルバス
Ｄ…ディスプレイ
ＳＰ…スピーカ
ＩＮ…入力端子部
【図１】
2004120018.tif 000003
【図２】
2004120018.tif 000004
【図３】
2004120018.tif 000005
【図４】
2004120018.tif 000006
【図５】
2004120018.tif 000007
【図６】
2004120018.tif 000008
【図７】
2004120018.tif 000009
【図８】
2004120018.tif 000010
【図９】
2004120018.tif 000011
【図１０】
2004120018.tif 000012
【手続補正書】
【提出日】平成14年10月3日(2002.10.3)
【手続補正１】
【補正対象書類名】図面
【補正対象項目名】全図
【補正方法】変更
【補正の内容】
【図１】
2004120018.tif 000013
【図２】
2004120018.tif 000014
【図３】
2004120018.tif 000015
【図４】
2004120018.tif 000016
【図５】
2004120018.tif 000017
【図６】
2004120018.tif 000018
【図７】
2004120018.tif 000019
【図８】
2004120018.tif 000020
【図９】
2004120018.tif 000021
【図１０】
2004120018.tif 000022
【手続補正書】
【提出日】平成14年12月18日(2002.12.18)
【手続補正１】
【補正対象書類名】図面
【補正対象項目名】図１
【補正方法】変更
【補正の内容】
【図１】
2004120018.tif 000023